(57)【要約】【課題】構造が簡単で清掃も容易な足浴器を得る。【解決手段】挿入される足を収納する収納室２８を備え、供給される加湿した温風により足を温浴する。収納室２８は底板２上に形成されると共に、足が載せられる足載せ台３０，３２を収納室２８内の底板２上に着脱可能に設ける。また、足載せ台３０，３２を加熱する足載せ台ヒータ３４，３５を底板２上に設け、足載せ台３０，３２と足載せ台ヒータ３４，３５との間に熱拡散板６４を配置した。足載せ台３０，３２は足載せ台ヒータ３４，３５よりも大きく、熱拡散板６４は足載せ台３０，３２とほぼ同じ大きさである。足載せ台３０，３２の底板２上への装着を検出する装着検出部材７４を備え、装着検出部材７４が足載せ台３０，３２が装着されていないことを検出したときには、足載せ台ヒータ３４，３５の駆動を禁止する。【選択図】  図７
2008220773.tif 000002
【特許請求の範囲】
【請求項１】
挿入される足を収納する収納室を備え、供給される加湿した温風により前記足を温浴する足浴器において、
前記収納室は底板上に形成されると共に、前記足が載せられる足載せ台を前記収納室内の前記底板上に着脱可能に設け、また、前記足載せ台を加熱する足載せ台ヒータを前記底板上に設け、前記足載せ台と前記足載せ台ヒータとの間に熱拡散板を配置したことを特徴とする足浴器。
【請求項２】
前記足載せ台は前記足載せ台ヒータよりも大きく、前記熱拡散板は前記足載せ台とほぼ同じ大きさであることを特徴とする請求項１に記載の足浴器。
【請求項３】
前記足載せ台を前記底板上に装着した際に、前記熱拡散板が前記足載せ台ヒータの表面に密着することを特徴とする請求項１又は請求項２に記載の足浴器。
【請求項４】
前記足載せ台の前記底板上への装着を検出する装着検出部材を備え、該装着検出部材が前記足載せ台が装着されていないことを検出したときには、前記足載せ台ヒータの駆動を禁止することを特徴とする請求項１ないし請求項３のいずれかに記載の足浴器。
【請求項５】
前記足載せ台の表面側には、岩盤あるいはセラミック板を設けたことを特徴とする請求項１ないし請求項４のいずれかに記載の足浴器。
【発明の詳細な説明】
【技術分野】
【０００１】
本発明は、足を収納室に収納して、供給される加湿した温風により温浴する足浴器に関する。
【背景技術】
【０００２】
従来より、特許文献１にあるように、足を挿入して、スチーム発生装置からの蒸気により温浴する足浴器が提案されている。このような足浴器では、ヒータにより蒸気を発生させ、足浴器内の温度を検出するセンサを設け、センサにより検出される温度が設定温度以上となったときには、ヒータによる加熱を止めて蒸気の発生を停止するようにしている。
【０００３】
また、挿入した足を載せる足置き台を設け、足置き台に多数の突起を形成して、突起上に足を載せることができるようにしている。更に、足置き台の下側に空間を形成して、この空間に蒸気を導入し、突起の間を通して蒸気を足裏に当てることができるようにしている。
【特許文献１】特開２００５−１３７２１号公報
【発明の開示】
【発明が解決しようとする課題】
【０００４】
しかしながら、こうした従来のものでは、足置き台に多数の突起を形成すると共に、蒸気が通るように格子状に形成しているので、構造が複雑になると共に、足置き台の下側に空間を形成しなければならず、大型化するという問題があった。また、足置き台には水分が付着するので、使用後は乾燥させないと、カビの発生や雑菌の繁殖等を招く場合があるが、構造が複雑であるので、清掃が容易でないという問題があった。
【０００５】
本発明の課題は、構造が簡単で清掃も容易な足浴器を提供することにある。
【課題を解決するための手段】
【０００６】
かかる課題を達成すべく、本発明は課題を解決するため次の手段を取った。即ち、
挿入される足を収納する収納室を備え、供給される加湿した温風により前記足を温浴する足浴器において、
前記収納室は底板上に形成されると共に、前記足が載せられる足載せ台を前記収納室内の前記底板上に着脱可能に設け、また、前記足載せ台を加熱する足載せ台ヒータを前記底板上に設け、前記足載せ台と前記足載せ台ヒータとの間に熱拡散板を配置したことを特徴とする足浴器がそれである。
【０００７】
前記足載せ台は前記足載せ台ヒータよりも大きく、前記熱拡散板は前記足載せ台とほぼ同じ大きさとするとよい。また、前記足載せ台を前記底板上に装着した際に、前記熱拡散板が前記足載せ台ヒータの表面に密着する構成とするとよい。更に、前記足載せ台の前記底板上への装着を検出する装着検出部材を備え、該装着検出部材が前記足載せ台が装着されていないことを検出したときには、前記足載せ台ヒータの駆動を禁止する構成としてもよい。前記足載せ台の表面側には、岩盤あるいはセラミック板を設けた構成としてもよい。
【発明の効果】
【０００８】
本発明の足浴器は、足載せ台を着脱可能に設けたので、足載せ台を取り外すと清掃が容易になり、足載せ台は熱拡散板を介して足載せ台ヒータにより加熱されるので、足載せ台が均一に加熱され、小型化が図れると共に構造が簡単になるという効果を奏する。
【０００９】
装着検出部材を設けることにより、誤って、足載せ台を取り外したまま、足載せ台ヒータに足を載せても、足載せ台ヒータが駆動されないので安全を確保できる。また、足載せ台の表面側に岩盤やセラミック板を設け、これらの足載せ台を交換して使用することもできる。
【発明を実施するための最良の形態】
【００１０】
以下本発明を実施するための最良の形態を図面に基づいて詳細に説明する。
図１〜図３に示すように、１は本体で、本体１は底板２と、底板２の左右に立設された一対の側板４，６と、一対の側板４，６の上端に張り渡された天板８とを備えている。底板２の底には複数のキャスター１０が取り付けられ、天板８上には取手部材１２が取り付けられている。
【００１１】
一対の側板４，６と天板８とは、図５に示すように、底板２の半分程度の幅に形成されて、底板２の半分が一対の側板４，６と天板８とにより覆われて、残りの半分は解放されている。底板２と側板４，６と天板８とに囲まれた中空内部に、背面板１４が配置されている。
【００１２】
背面板１４は、図６に示すように、一対の側板４，６の内側に沿って、底板２と側板４，６と天板８とに囲まれた内部に延ばされ、本体１の背面側が背面板１４により覆われている。また、背面板１４は、底板２から立設されると共に、天板８の内側の近傍まで延ばされた後、天板８の内側に沿って前側に引き出されて、天板８の前縁に取り付けられている。
【００１３】
一対の側板４，６と天板８とにより覆われていない底板２上には、観音開き式の扉１６が設けられている。扉１６は、左扉部材１８と右扉部材２０とを備え、左右扉部材１８，２０を開いた際には、左右扉部材１８，２０がそれぞれ中程で折れ曲がって、左右に大きく開口されるように構成されている。尚、本実施形態では、扉１６側を前側としている。
【００１４】
これにより、底板２と、背面板１４と、左右扉部材１８，２０とにより囲まれて、浴槽室２２が形成されている。浴槽室２２は一部上方が開口されて、浴槽室２２内に足を挿入した状態で、左右扉部材１８，２０を閉じることができるように構成されている。
【００１５】
浴槽室２２内の底板２には仕切板２４が立設されており、図５に示すように、仕切板２４の上端は背面板１４に接続されている。この仕切板２４により、浴槽室２２が発生室２６と収納室２８とに仕切られている。発生室２６は背面板１４と仕切板２４とにより囲まれ、収納室２８は左右扉部材１８，２０と仕切板２４とにより囲まれて形成されている。
【００１６】
発生室２６内には、送風器３６、加熱器３８、加湿器４０が配置されている。送風器３６は、モータによりファンを回転させて空気を送風する周知のもので、発生室２６内の空気を吸い込んで加熱器３８に送風する。
【００１７】
加熱器３８は、送風器３６により送風された空気をヒータ４２により加熱するもので、左右両側に吐出ノズル４４，４５が設けられている。加熱器３８と送風器３６とは一体に組み立てられている。
【００１８】
加湿器４０は、水をヒータ４６により加熱して蒸気を発生させて加湿するもので、加湿器４０は底板２上に配置されると共に、一部が背面板１４から発生室２６の外部に露出されている。加湿器４０には給水ノズル４８が設けられており、給水ノズル４８を介して給水ができるように構成されている。
【００１９】
加湿器４０で発生した蒸気は、一対の供給管５０，５１を介して、発生室２６内に配置された一対の吐出ノズル５２，５３から吐出されるように構成されている。尚、加湿器４０は蒸気を発生するものに限らず、超音波振動等によりミストを発生させるものでもよい。また、加湿器４０や加熱器３８に、薬効材や芳香剤等を配置して、薬効成分や芳香を吐出する蒸気や温風に含ませるようにしてもよい。
【００２０】
発生室２６と収納室２８とは、左右に設けられた供給流路５４，５６により連通されており、供給流路５４，５６は、図５、図６に示すように、背面板１４と仕切板２４とにより形成されている。仕切板２４は後述する一対の足載せ台３０，３２の爪先側を囲むように、湾曲して形成されると共に、背面板１４との間に供給流路５４，５６が形成される隙間が空けられて配置されている。
【００２１】
これにより、供給流路５４，５６は、発生室２６から背面板１４の左右側壁に沿って形成され、供給流路５４，５６は収納室２８に、前方に向かって開口されている。また、加熱器３８の吐出ノズル４４，４５と、加湿器４０の吐出ノズル５２，５３は、発生室２６から供給流路５４，５６に向かって、前方に吐出されるように配置されている。
【００２２】
収納室２８内の底板２上には、左右一対の足載せ台３０，３２が配置されている。足載せ台３０，３２の下側で、底板２上に、電熱式の足載せ台ヒータ３４，３５が組み込まれており、足載せ台ヒータ３４，３５により足載せ台３０，３２を加熱することができるように構成されている。
【００２３】
本実施形態では、図７（イ）に示すように、収納室２８内の底板２上にその表面を覆うように取付板５８が取り付けられており、取付板５８に足載せ台ヒータ３４が装着されている。足載せ台ヒータ３４は取付板５８が窪まされて形成された凹部６０に挿入されて装着されており、取付板５８の表面と足載せ台ヒータ３４の表面とがほぼ同一平面上に配置されるように構成されている。
【００２４】
足載せ台ヒータ３４は足載せ台３０のほぼ中央に配置されると共に、足載せ台ヒータ３４の表面は足載せ台３０の表面よりも小さく、ほぼ半分程度の表面積を有するように形成されている。
【００２５】
足載せ台３０は、本実施形態では、足を載せる表面に複数の円盤状のセラミック板６２が配置されており、セラミック板６２には薬効成分が含浸されている。足載せ台３０の裏面は平坦に形成されると共に、この裏面に密着して熱拡散板６４が取り付けられて、足載せ台３０と足載せ台ヒータ３４との間に熱拡散板６４が配置されている。熱拡散板６４は平坦な板状に形成され、アルミ等の熱伝導性のよい材質により形成されている。
【００２６】
熱拡散板６４は、足載せ台３０の大きさとほぼ同じ大きさに形成されており、足載せ台３０の裏面全面に密着して取り付けられている。尚、図７（ロ）に示すように、足載せ台３０の表面に、セラミック板６２に代えて、一枚の板状の岩盤６３を設けてもよい。
【００２７】
足載せ台３０には、複数のＬ字状の突起６６，６８が取付板５８に向かって突出形成されている。突起６６は、図８に示すように、取付板５８に向かって突出した脚部６６ａと、脚部６６ａの先端から裏面と平行方向に突出した凸部６６ｂとを備えている。そして、取付板５８には、凸部６６ｂを挿入可能な大孔７０と、大孔７０に連接して脚部６６ａの断面形状より少し大きな形状の小孔７２とが形成されている。
【００２８】
大孔７０に凸部６６ｂを挿入して、小孔７２方向に移動すると、小孔７２に脚部６６ａが挿入されて、凸部６６ｂが取付板５８の裏側に係合し、突起６６が小孔７２から外れなくなるように構成されている。他方の突起６８についても同様であり、突起６６，６８を挿入した状態で、熱拡散板６４は、足載せ台ヒータ３４の表面に密着するように構成されている。尚、本実施形態では、突起６６，６８と大孔７０及び小孔７２とにより、足載せ台３０を取付板５８に着脱可能に構成してるが、これに限らず、ネジあるいはマグネット等により着脱可能に構成してもよい。
【００２９】
また、突起６６が挿入されたことを検出する装着検出部材７４が底板２に取り付けられている。装着検出部材７４は、突起６６が装着されたことを検出して、装着されたときには、足載せ台ヒータ３４への通電を許可し、装着されてないときには足載せ台ヒータ３４への通電を遮断し、足載せ台ヒータ３４の駆動を禁止するものである。
【００３０】
装着検出部材７４として、例えば、突起６６に磁性体を埋め込み、この磁性体を検知するホール素子又はリードスイッチ等を用いて検知して、図示しない制御回路等により足載せ台ヒータ３４への通電を許可・遮断するようにしてもよく、あるいは、接点スイッチを用いて、突起６６の挿入・非挿入により接点スイッチの接点を開閉して、足載せ台ヒータ３４の回路を開閉するようにしてもよい。突起６６の検出に限らず、足載せ台３０，３２の他の箇所を検出するようにしてもよい。他方の足載せ台３２についても同様に、セラミック板、熱拡散板や突起が設けられると共に、装着検出部材が設けられている。
【００３１】
次に、前述した本実施形態の足浴器の作動について説明する。
まず、左右扉部材１８，２０を左右に開けて、一対の足載せ台３０，３２に左右の足を載せる。そして、左右扉部材１８，２０を閉じて、足を収納室２８に収納してから、送風器３６、加熱器３８、加湿器４０を駆動すると共に、足載せ台３０，３２の足載せ台ヒータ３４，３５を駆動する。
【００３２】
よって、送風器３６は発生室２６内の空気を吸い込んで、送風器３６から加熱器３８に送風され、加熱器３８は空気をヒータ４２により加熱して、吐出ノズル４４，４５から供給流路５４，５６に温風を吐出する。また、加湿器４０は蒸気を発生して、一対の吐出ノズル５２，５３から供給流路５４，５６に吐出する。
【００３３】
供給流路５４，５６に吐出された温風と蒸気は、混じり合いながら、供給流路５４，５６から収納室２８に供給されて、収納室２８を加温・加湿する。温風と蒸気とが供給された収納室２８内は、高温・多湿の状態となり、収納室２８に挿入された足を温浴し、温浴効果を得られる。
【００３４】
また、足載せ台ヒータ３４，３５により、足載せ台３０，３２が加熱されて、足載せ台３０，３２に載せられている足裏を加熱する。更に、セラミック板６２も加熱されるので、セラミック板６２から遠赤外線が放射される。これにより、足裏が足載せ台３０，３２に載せられていても、足の表側が温風と蒸気とにより加温されるだけでなく、足裏も加温されるので、足裏をもむら無く温浴させることができ、温浴効果を高められる。
【００３５】
しかも、足載せ台３０，３２の裏面には、熱拡散板６４が設けられているので、足載せ台ヒータ３４，３５による熱は、熱拡散板６４を伝わって、足載せ台３０，３２の裏面全面に均一に広がる。足載せ台３０，３２が足載せ台ヒータ３４，３５よりも大きく、足載せ台ヒータ３４，３５を覆うように設けられるので、熱がこもり、熱効率がよい。
【００３６】
従って、足載せ台ヒータ３４，３５が足載せ台３０，３２より小さくても、足載せ台３０，３２は、その表面側も全面がほぼ均一に暖められて、足裏のほぼ全体を均一に加熱するので、むら無く温浴させることができる。また、足載せ台３０，３２がほぼ均一に加熱されるので、足載せ台３０，３２の表面に複数のセラミック板６２を配置しても、足裏に感じる温度差を抑制することができる。
【００３７】
温浴終了後は、足を収納室２８から引き出し、収納室２８を清掃する際には、足載せ台３０，３２を取付板５８の表面に沿って移動して、突起６６，６８の凸部６６ｂを大孔７０に合わせ、凸部６６ｂを大孔７０から引き抜く。これにより、突起６６，６８による係止を解除でき、足載せ台３０，３２をそれぞれ取り外すことができる。また、左右扉部材１８，２０が左右に大きく開くので、足載せ台３０，３２を容易に取り外すことができる。
【００３８】
取り外した足載せ台３０，３２を水洗いして乾燥させ、また、足載せ台３０，３２を取り外した後の取付板５８の表面を清掃する。取り外した後の取付板５８の表面は、ほぼ平らになるので、水分が滞ることがなく、また、清掃も容易であり、水分を残すことなく乾燥させることができ、メンテナンス性がよい。これにより、カビの発生や雑菌の繁殖等を防止することができる。
【００３９】
清掃した後、再び、突起６６，６８の凸部６６ｂを大孔７０に合わせて移動することにより、突起６６，６８が取付板５８に係合して装着される。足載せ台３０，３２が確実に装着されたことを装着検出部材７４が検出すると、使用時には、足載せ台ヒータ３４，３６に通電が行われ、足載せ台ヒータ３４，３６が加熱される。
【００４０】
足載せ台３０，３２が装着されないまま、使用が開始されて、足載せ台ヒータ３４，３６に直接、足が載せられても、足載せ台ヒータ３４，３６には通電されないので、安全が確保される。また、足載せ台ヒータ３４，３６が正常に装着されなかったときも同様に通電されないので安全が確保される。
【００４１】
足載せ台３０，３２が着脱可能であるので、セラミック板６２を取り付けた足載せ台３０，３２と岩盤６３を取り付けた足載せ台３０，３２とを交換して取り付けることにより、それぞれの薬効成分の違いによる温浴効果を得ることができる。
【００４２】
以上本発明はこの様な実施形態に何等限定されるものではなく、本発明の要旨を逸脱しない範囲において種々なる態様で実施し得る。
【図面の簡単な説明】
【００４３】
【図１】本発明の一実施形態としての足浴器の正面図である。
【図２】本実施形態の足浴器の側面図である。
【図３】本実施形態の足浴器の平面図である。
【図４】仕切板を二点鎖線で示す図２のＡＡ断面図である。
【図５】送風器、加熱器、加湿器は外形を示す図１のＢＢ断面図である。
【図６】図１のＣＣ断面図である。
【図７】本実施形態の取付板と足載せ台と足載せ台ヒータと熱拡散板との拡大断面図である。
【図８】本実施形態の足載せ台の突起と大孔、小孔との拡大斜視図である。
【符号の説明】
【００４４】
１…本体        ２…底板
４，６…側板    ８…天板
１０…キャスター  １２…取手部材
１４…背面板    １６…扉
１８…左扉部材  ２０…右扉部材
２２…浴槽室    ２４…仕切板
２６…発生室    ２８…収納室
３０，３２…足載せ台    ３４，３５…足載せ台ヒータ
３６…送風器    ３８…加熱器
４０…加湿器    ４２…ヒータ
４４，４５…吐出ノズル  ４６…ヒータ
４８…給水ノズル  ５０，５１…供給管
５２，５３…吐出ノズル    ５４，５６…供給流路
５８…取付板    ６２…セラミック板
６３…岩盤      ６４…熱拡散板
６６，６８…突起  ６６ａ…脚部
６６ｂ…凸部    ７０…大孔
７２…小孔      ７４…装着検出部材
【図１】
2008220773.tif 000003
【図２】
2008220773.tif 000004
【図３】
2008220773.tif 000005
【図４】
2008220773.tif 000006
【図５】
2008220773.tif 000007
【図６】
2008220773.tif 000008
【図７】
2008220773.tif 000009
【図８】
2008220773.tif 000010